(57)【特許請求の範囲】
【請求項１】
一つのゲートの入口から出口までを利用者が通過するゲート有効長の間に、非接触ＩＣカードと非接触により情報の授受を行うゲート管理システムにおいて、
前記非接触ＩＣカードに記録された情報を読み取る第１の情報処理部を有する第１のゲートと、
前記第１のゲートから前記ゲート有効長の路程を隔てて設置され、前記第１のゲートにより読み取られた情報と対応する情報を前記非接触ＩＣカードに書き込む第２の情報処理部を有する第２のゲートと
を備え、
前記第１の情報処理部は、前記第１のゲートを通過したことを示す通過情報を前記カードの情報記録媒体に書き込む通過情報書き込み手段を有し、
前記第２の情報処理部は、前記通過情報を読み取る通過情報読み取り手段を有する
ことを特徴とするゲート管理システム。
【請求項２】
一つのゲートの入口から出口までを利用者が通過するゲート有効長の間に、非接触ＩＣカードと非接触により情報の授受を行うゲート管理システムにおいて、
前記非接触ＩＣカードに記録された情報を読み取る第１の情報処理部を有する第１のゲートと、
前記第１のゲートから前記ゲート有効長の路程を隔てて設置され、前記第１のゲートにより読み取られた情報と対応する情報を前記非接触ＩＣカードに書き込む第２の情報処理部を有する第２のゲートと
を備え、
前記第１のゲートと前記第２のゲートは、それぞれ複数設けられており、
各前記第１のゲートの前記第１の情報処理部は、全ての前記第２のゲートの前記第２の情報処理部と情報の授受を行う
ことを特徴とするゲート管理システム。
【請求項３】
一つのゲートの入口から出口までを利用者が通過するゲート有効長の間に、非接触ＩＣカードと非接触により情報の授受を行うゲート管理システムにおいて、
前記非接触ＩＣカードに記録された情報を読み取る第１の情報処理部を有する第１のゲートと、
前記第１のゲートから前記ゲート有効長の路程を隔てて設置され、前記第１のゲートにより読み取られた情報と対応する情報を前記非接触ＩＣカードに書き込む第２の情報処理部を有する第２のゲートと
を備え、
前記第２のゲートは、前記第１のゲートを通過した利用者の前記カードから読み取られた情報に基づき、前記利用者の出入の許否を制御する出入許否部を備えており、
前記第２のゲートの入口と前記出入許否部との間の路程は、前記利用者の一人が占有する長さに形成されている
ことを特徴とするゲート管理システム。
【発明の詳細な説明】
【０００１】
【産業上の利用分野】
本発明は、例えば駅の改札口において利用者の出入管理をする場合に用いて好適なゲート管理システムに関するものである。
【０００２】
【従来の技術】
図４は、従来の磁気カードを利用したゲート管理システムの一例の構成を示す平面図である。図４に示すように、ゲート４０には、３つのゲート４０ａ〜４０ｃが並設されている。また、図中、Ｆ方向は、利用者の進行方向を示している。
【０００３】
各ゲート４０ａ〜４０ｃには、利用者が出入りするときに使用する磁気カードの磁気記録部（図示せず）に記録されている情報を読み取る情報読み取り部４１ａ〜４１ｃがそれぞれ入口の右側近傍に設けられている。また、各ゲート４０ａ〜４０ｃには、この磁気記録部に情報を書き込む情報書き込み部４２ａ〜４２ｃがそれぞれ出口の右側近傍に設けられており、さらに、ゲート４０ａ〜４０ｃの出口の近傍には、利用者の出入の許否を行う出入許否部４３ａ〜４３ｃがそれぞれ設けられている。
【０００４】
図４に示すように、ゲート４０の有効長Ｌ１は、例えば１．５〜２ｍ程度の長さに設定されている。このような長さに設定するのは、利用者がゲート４０を通過する間（ゲート４０の有効長Ｌ１を歩いている時間内）に、情報読み取り部４１が磁気記録部に記録されている情報を読み取り、制御部が情報読み取り部４１により読み取られた情報の正当性を判別し、さらには、磁気記録部に書き込む情報を準備するためである。
【０００５】
利用者がゲート４０の情報読み取り部４１を通過すると、この利用者の磁気カードの磁気記録部に記録されている情報がこの情報読み取り部４１により読み取られる。読み取られた情報は、制御部（図示せず）に伝送され、この制御部で磁気カードの正当性（例えば有効期限等）が判別される。磁気カードの正当性が確認された場合には、情報書き込み部４２は、この利用者の磁気カードの磁気記録部に出入記録等の情報を書き込む。
【０００６】
情報読み取り部４１により読み取られた情報が、制御部により正当性がないと判別されたとき（例えば磁気カードの有効期限がすでに経過している場合）には、制御部は、出入許否部４３を作動させる。図４は、利用者５１の磁気カードが正当性がないと判別され、出入許否部４３ｂがゲート４０ｂの出口を遮断し、利用者５１の進行を禁止した様子を示す。
【０００７】
上述した磁気カードの利用によるゲート管理システムに対して、ＩＣカードの利用によるゲート管理システムが提案されている。このシステムは、駅の改札口等のように大多数の利用者が出入するゲートにおいて、利用者の混雑を解消して円滑かつ高速なゲートの管理という要求に応えるものであり、ゲートを出入りするときに利用者が使用するカードに集積回路（以下、ＩＣモジュールと称する）を装着し、非接触によりカードと改札口とが情報の授受を行うものである。このように、カードと改札口との情報の授受を非接触方式にすることにより、利用者の改札口の出入管理の高速化を図ることができる。
【０００８】
図５は、上述した非接触方式によるゲート管理システムの一例の構成を示す平面図である。図４で示したゲート管理システムと同一部分には、同一符号を付して重複する説明は適宜省略する。
【０００９】
図５に示すゲート管理システムは、図４で示したゲート管理システムと比較して、情報の授受部が異なっている。各ゲート４０ａ〜４０ｃには、それぞれ情報授受部５５ａ〜５５ｃが設けられている。この情報授受部５５は、カードのＩＣモジュールに記録された情報を読み取り、この読み取られた情報の判断等を行い、所定の情報をＩＣモジュールに書き込む一連の情報の授受を行うものである。
【００１０】
利用者がゲート４０の情報授受部５５を通過すると、利用者のカードのＩＣモジュールに記録されている情報がこの情報授受部５５により読み取られる。読み取られた情報は、情報授受部５５に設けられた制御部（図示せず）に伝送され、制御部でカードの正当性等が判別される。制御部でカードの正当性等が確認されると、情報授受部５５は、この利用者のカードのＩＣモジュールに出入記録等の情報を書き込む。これらの情報の授受は、利用者が情報授受部を通過するときに短時間で（ほぼ同一の位置で）行われる。
【００１１】
情報授受部５５により読み取られた情報が、制御部で正当性がないと判別されたとき（例えばカードの有効期限がすでに経過している場合）には、情報授受部５５は、出入許否部４３を作動させ、ゲート４０の出口を遮断し、利用者の進行を禁止する。
【００１２】
上述のように、カードと改札口との情報の授受が非接触方式の場合には、情報の読み取りと書き込みが短時間でほぼ同時に行われるので、ゲート４０の有効長Ｌ１０は、磁気カードの利用によるもの（図４で示した有効長Ｌ１）と比較して、短く設定することができる。
【００１４】
このように、一人の利用者の進行が禁止されると、この利用者に後続してすでにゲート内に進入している利用者も進行が妨げられるので、円滑なゲートの出入管理を行うことができなくなるという問題があった。従って、ゲートの出入管理の高速化を確保することができなくなるという問題があった。
【００１５】
図５で示したＩＣカードの利用によるゲート管理システムでは、磁気カードの利用によるものと比較して、ゲートの有効長を短く設定することができるが、ＩＣモジュールの情報の読み取りおよび書き込みを短時間で行うので、多くの情報の読み取りおよび書き込みを行うことができないという問題があった。
【００１６】
また、例えばＩＣカードの秘匿性の向上のためにＩＣカードの情報を暗号化する場合には、暗号処理に時間を要することとなるので、この処理時間を確保するためにゲートの有効長を短く設定することができなくなり、ＩＣカードの利用によるメリットが失われるという問題があった。
【００１７】
さらに、読み取られた情報の判断等を行う制御部を含めた情報授受部５５の構造が複雑となり、情報授受部５５に負担がかかるという問題があった。
【００１８】
本発明は、上述のような課題を解消するためになされたものであって、ＩＣカードを利用したゲート管理システムにおいて、円滑かつ高速に利用者のゲートの出入管理を行うことができ、多くの情報の読み取りおよび書き込みを行うことができるゲート管理システムを提供することを目的とする。
【００２０】
【課題を解決するための手段】
上述の目的を達成するにために、本発明によるゲート管理システムの第１の解決手段は、一つのゲートの入口から出口までを利用者が通過するゲート有効長の間に、非接触ＩＣカードと非接触により情報の授受を行うゲート管理システムにおいて、前記非接触ＩＣカードに記録された情報を読み取る第１の情報処理部（１１）を有する第１のゲート（１０）と、前記第１のゲートから前記ゲート有効長の路程を隔てて設置され、前記第１のゲートにより読み取られた情報と対応する情報を前記非接触ＩＣカードに書き込む第２の情報処理部（２１）を有する第２のゲート（２０）とを備え、前記第１の情報処理部は、前記第１のゲートを通過したことを示す通過情報を前記カードの情報記録媒体に書き込む通過情報書き込み手段を有し、前記第２の情報処理部は、前記通過情報を読み取る通過情報読み取り手段を有することを特徴とする。
【００２１】
ゲート管理システムの第２の解決手段は、一つのゲートの入口から出口までを利用者が通過するゲート有効長の間に、非接触ＩＣカードと非接触により情報の授受を行うゲート管理システムにおいて、前記非接触ＩＣカードに記録された情報を読み取る第１の情報処理部（１１）を有する第１のゲート（１０）と、前記第１のゲートから前記ゲート有効長の路程を隔てて設置され、前記第１のゲートにより読み取られた情報と対応する情報を前記非接触ＩＣカードに書き込む第２の情報処理部（２１）を有する第２のゲート（２０）とを備え、前記第１のゲートと前記第２のゲートは、それぞれ複数設けられており、各前記第１のゲートの前記第１の情報処理部は、全ての前記第２のゲートの前記第２の情報処理部と情報の授受を行うことを特徴とする。
【００２２】
ゲート管理システムの第３の解決手段は、一つのゲートの入口から出口までを利用者が通過するゲート有効長の間に、非接触ＩＣカードと非接触により情報の授受を行うゲート管理システムにおいて、前記非接触ＩＣカードに記録された情報を読み取る第１の情報処理部（１１）を有する第１のゲート（１０）と、前記第１のゲートから前記ゲート有効長の路程を隔てて設置され、前記第１のゲートにより読み取られた情報と対応する情報を前記非接触ＩＣカードに書き込む第２の情報処理部（２１）を有する第２のゲート（２０）とを備え、前記第２のゲートは、前記第１のゲートを通過した利用者の前記カードから読み取られた情報に基づき、前記利用者の出入の許否を制御する出入許否部（２２）を備えており、前記第２のゲートの入口と前記出入許否部との間の路程（Ｌ３）は、前記利用者の一人が占有する長さに形成されていることを特徴とする。
【００２４】
【作用】
上記ゲート管理システムの第１の解決手段においては、通過情報書き込み手段により、第１のゲートを通過したことを示す通過情報が書き込まれ、第２のゲートの通過情報読み取り手段により、通過情報が読み取られる。従って、第２の情報処理部は、通過情報を読み取ることにより、迅速にカードに書き込む情報を検索することができ、情報の検索時間の短縮を図ることができる。さらには、第１のゲートと第２のゲートで異なるカードが使用されたときに、通過情報により容易にこれを判別することができるので、カードの不正使用等を抑制することができる。
【００２５】
上記第２の解決手段においては、各第１のゲートの第１の情報処理部は、全ての第２のゲートの第２の情報処理部と情報の授受を行う。従って、第１のゲートを通過した利用者は、任意の第２のゲートを通過することができるので、ゲートの出入の円滑化と高速化を図ることができる。
【００２６】
上記第３の解決手段においては、第２のゲートに設けられた出入許否部により利用者が進行を禁止されたときは、後続の利用者は、速やかに別の第２のゲートに移動することができる。従って、ゲートの出入の円滑化を図ることができる。
【００２７】
【実施例】
以下、図面等を参照して、本発明によるゲート管理システムの一実施例について説明する。
図１は、本発明によるゲート管理システムの一実施例の構成を示す平面図である。図１に示すように、第１のゲート１０には、３つのゲート１０ａ〜１０ｃが並設されている。また、第１のゲート１０から利用者の進行方向Ａに所定の路程（図中、Ｌ４）を隔てて３つの第２のゲート２０ａ〜２０ｃが並設されている。この第１のゲート１０および第２のゲート２０の有効長は、それぞれＬ２，Ｌ３に設定されている。
【００２８】
また、第１のゲート１０ａ〜１０ｃの入口の図中右側近傍には、第１の情報処理部１１ａ〜１１ｃが設けられている。この第１の情報処理部１１（１１ａ〜１１ｃ）は、利用者のカードに装着されたＩＣモジュール（図示せず）から非接触により情報を読み取り、さらに、第１のゲート１０を通過したことを示す通過情報をカードに書き込む装置である。
【００２９】
また、第２のゲート２０ａ〜２０ｃの入口の図中右側近傍には、第２の情報処理部２１ａ〜２１ｃが設けられている。この第２の情報処理部２１（２１ａ〜２１ｃ）は、第１の情報処理部１１により書き込まれた通過情報を読み取り、この通過情報と対応する情報をカードのＩＣモジュールに書き込む装置である。
【００３０】
さらに、第２のゲート２０の出口の近傍には、それぞれ第１のゲート１０を通過した利用者のカードから読み取られた情報に基づき、利用者の出入の許否を制御する出入許否部２２ａ〜２２ｃが設けられている。
【００３１】
図２は、図１のゲート管理システムを示す側面図である。図２に示すように、第１のゲート１０の第１の情報処理部１１（１１ａ〜１１ｃ）は、制御部２３を介して第２のゲート２０の第２の情報処理部２１（２１ａ〜２１ｃ）と電気的に接続されている。このように構成することにより、１つの第１の情報処理部１１は、全ての第２の情報処理部２１と情報の授受を行うことができる。また、出入許否部２２は、制御部２３と電気的に接続されている。
【００３２】
さらに、図２は、利用者３１〜３４が第１のゲート１０および第２のゲート２０を通過している様子を示している。第１のゲート１０の有効長Ｌ２および第２のゲート２０の有効長Ｌ３は、一人の利用者のみが占有することのできる長さに設定されている。第１のゲート１０では、利用者３３の情報の授受（第１の情報処理部１１による利用者３３の情報の読み取り）が行われている。このとき、利用者３３は、第１のゲート１０の有効長Ｌ２の路程を占有しているので、利用者３３に後続する利用者３４は、第１のゲート１０内に進入することができない。
【００３３】
同様に、第２のゲート２０では、利用者３１の情報の授受が行われており、利用者３１は、第２のゲート２０の有効長Ｌ３の路程を占有しているので、この利用者３１に後続する利用者３２は、第２のゲート２０内に進入することができない。
【００３４】
次に、図３に基づき、利用者が第１のゲート１０、および第２のゲート２０を通過するときのゲート管理システムの動作について説明する。
図３は、利用者３１〜３４が、第１のゲート１０ｂおよび第２のゲート２０ｂを通過している様子を示す平面図である。
【００３５】
先ず、利用者が第１のゲート１０を通過するときに、利用者のカードのＩＣモジュールに記録されている情報が第１の情報処理部１１により読み取られる。ここで読み取られる情報は、例えば利用者の利用履歴やカードの有効期限のような多くの情報である。さらに、第１の情報処理部１１により、第１のゲート１０を通過したことを示す通過情報が利用者のカードに書き込まれる。読み取られた情報は、通過情報とともに、制御部２３（図２）に伝送される。制御部２３は、この情報に基づき、利用者のカードに書き込むべき情報を準備し、この情報を第２のゲート２０（２０ａ〜２０ｃの全て）の第２の情報処理部２１（２１ａ〜２１ｃ）に伝送する。
【００３６】
ここで、制御部２３が第１の情報処理部１１により読み取られた情報に基づき、カードの正当性等を判別してカードに書き込む情報を準備することは、利用者が第１のゲート１０を通過し、路程Ｌ４を歩いている時間内に行われる。
【００３７】
次に、利用者が第２のゲート２０を通過するときに、第２の情報処理部２１は、第２のゲート２０を通過する利用者のカードから通過情報を読み取る。通過情報を読み取ることにより、第２の情報処理部２１は、第１の情報処理部１１が読み取るような利用者の利用履歴やカードの有効期限等の多くの情報を再度読み取る必要はなく、制御部２３から伝送された情報のうちのどの情報をその利用者に書き込むかを迅速に検索することができる。
【００３８】
上述のようにして、第２の情報処理部２１は、通過する利用者にどの情報を書き込むかを判断すると、上述した情報をその利用者のカードに書き込む。さらに、出入許否部２２は、その利用者の出入の許否を制御する。図３は、制御部２３が利用者３１のカードに記録されている情報が正当な情報でないと判別し、第２のゲート２０ｂを通過しようとする利用者３１の進行を出入許否部２２ｂにより禁止した様子を示している。
【００３９】
また、カードに通過情報を保持していないときや、読み取られた通過情報が、制御部２３から伝送された通過情報と異なるときにも、制御部２３は、カードに記録されている情報が正当でないと判別し、利用者の進行を禁止する。
【００４０】
利用者３１が出入許否部２２ｂにより進行を禁止された場合には、利用者３１に後続していた利用者３２は、容易に進行方向を変更して、他の第２のゲート（２０ａまたは２０ｃ）を選択することができる。すなわち、図３に示すように、利用者３２は、速やかに進行方向を図中Ｂ方向またはＣ方向に変更して、第２のゲート２０ａまたは２０ｃを通過することができる。同様に、利用者３２に後続する利用者３３，３４も、進行方向を図中Ｄ方向またはＥ方向に変更して第２のゲート２０ａまたは２０ｃを通過することができる。このように、第１のゲート１０と第２のゲート２０は、路程Ｌ４を隔てて設置されているので、第１のゲート１０を通過した利用者は、路程Ｌ４の領域内を自由に移動して任意の第２のゲートを選択することができる。
【００４１】
従って、１つの第１のゲートを通過した利用者は、任意の第２のゲート２０を通過することができるので、一つの第２のゲート２０が利用者の進行を禁止した場合においても、後続の利用者は円滑に他の第２のゲート２０に移動し、通過することができる。
【００４２】
以上、本発明によるゲート管理システムの一実施例について説明したが、本発明によるゲート管理システムは、上述した実施例に限定されることなく、本発明の要旨を逸脱しない範囲内で種々の変形が可能である。例えば、第１のゲート１０および第２のゲート２０は、実施例においては、それぞれ３つ形成したが、利用者の数に応じていくつ形成しても良い。また、第１のゲート１０と第２のゲート２０の形成数は、同一数に限らず、第１のゲート１０または第２のゲート２０のいずれが一方を多く形成しても良い。さらに、第２のゲート２０のゲートの有効長Ｌ３は、利用者一人が占有する長さであれば良く、第１のゲート１０の有効長Ｌ２は、複数の利用者が占有する長さでも良い。
【００４３】
さらにまた、第１のゲート１０と第２のゲート２０との間の路程Ｌ４は、利用者の数等の種々の条件に応じて決定される値であり、本発明において限定される値ではない。すなわち、第１のゲート１０で読み取られた情報を制御部２３に伝送し、制御部２３がこの情報の正当性を判別し、さらに利用者に書き込む情報を第２のゲート２０に伝送するまでの時間を確保することができ、かつ、第１のゲート１０を通過した利用者が容易に第２のゲート２０を選択して移動することができるように路程Ｌ４の長さが決定されれば良い。
【００４４】
実施例では、第１の情報処理部１１が通過情報をカードに書き込み、第２の情報処理部がこの通過情報を読み取るように設定したが、第１の情報処理部１１が通過情報をカードに書き込むことなく、第２の情報処理部が利用者のカードから所定の情報を読み取り、この情報と対応する情報を制御部２３から伝送された情報の中から判別して読み取るようにしても良い。
【００４６】
【発明の効果】
請求項１に記載のゲート管理システムによれば、第１のゲートを通過したことを示す通過情報をカードに書き込み、第２のゲートで通過情報を読み取るようにしたので、迅速にカードに書き込む情報を検索することができ、情報の検索時間の短縮を図ることができる。さらには、第１のゲートと第２のゲートで異なるカードが使用されたときに、通過情報により容易にこれを判別することができるので、カードの不正使用等を抑制することができる。
【００４７】
請求項２に記載のゲート管理システムによれば、各第１のゲートの第１の情報処理部は、全ての第２のゲートの第２の情報処理部と情報の授受を行うようにしたので、第１のゲートを通過した利用者は、任意の第２のゲートを通過することができ、ゲートの出入の円滑化と高速化を図ることができる。
【００４８】
請求項３に記載のゲート管理システムによれば、第２のゲートに設けられた出入許否部により利用者が進行を禁止されたときは、後続の利用者は、速やかに別の第２のゲートに移動することができるようにしたので、ゲートの出入の円滑化を図ることができる。
【図面の簡単な説明】
【図１】本発明によるゲート管理システムの一実施例の構成を示す平面図である。
【図２】図１のゲート管理システムを示す側面図である。
【図３】図１のゲート管理システムにおいて、利用者３１〜３４が第１のゲート１０および第２のゲート２０を通過している様子を示す平面図である。
【図４】従来の磁気カードを利用したゲート管理システムの一例の構成を示す平面図である。
【図５】従来のＩＣカードを利用したゲート管理システムの一例の構成を示す平面図である。
【符号の説明】
１０（１０ａ〜１０ｃ）  第１のゲート
１１（１１ａ〜１１ｃ）  第１の情報処理部
２０（２０ａ〜２０ｃ）  第２のゲート
２１（２１ａ〜２１ｃ）  第２の情報処理部
２２（２２ａ〜２２ｃ）  出入許否部
【図１】
0003615227.tif 000002
【図２】
0003615227.tif 000003
【図３】
0003615227.tif 000004
【図４】
0003615227.tif 000005
【図５】
0003615227.tif 000006